(57)【要約】【課題】読み込んだデータや入力した注文情報やユーザ情報などを記憶しておくか又は消去するかを選択することができる注文受付端末及び制御プログラムの提供。【解決手段】記録手段から画像データや音楽データなどのデータを入力するデータ入力手段１０と、入力されたデータや注文情報、ユーザ情報などの入力情報の記憶／消去の選択などを行う情報入出力手段１１と、ユーザの選択に従って入力情報を記憶手段１４ａに記憶／消去する制御を行う記憶制御手段１３、又は、外部機器の記憶手段に記憶されている入力情報を消去させる消去指示データを作成、送信する手段とを備え、記憶を選択した場合は記憶手段１４ａや外部機器の記憶手段に入力情報を記憶し、消去を選択した場合は記憶手段１４ａから入力情報を消去し、また、消去指示データによって外部機器の記憶手段に記憶された入力情報を消去する。【選択図】図４
2005204201.tif 000002
【特許請求の範囲】
【請求項１】
データを入力する手段と、
該データを用いた注文に関連する情報を入力する手段と、
前記データ及び前記情報の少なくとも一部を記憶手段に記憶するか消去するかをユーザに選択させる選択手段と、
記憶が選択された場合に、前記データ及び前記情報の少なくとも一部を前記記憶手段に記憶するように制御する制御手段と、を少なくとも備えることを特徴とする注文受付端末。
【請求項２】
前記制御手段では、消去が選択された場合であって、前記データ及び前記情報の少なくとも一部が前記記憶手段に記憶されている場合は、該記憶手段から前記データ及び前記情報の少なくとも一部を消去するように制御することを特徴とする請求項１記載の注文受付端末。
【請求項３】
データを入力する手段と、
該データを用いた注文に関連する情報を入力する手段と、
前記データ及び前記情報の少なくとも一部を通信ネットワークを介して外部の機器に送信する手段と、
前記データ及び前記情報の少なくとも一部を前記外部の機器の記憶手段に記憶するか消去するかをユーザに選択させる選択手段と、
消去が選択された場合に、前記外部の機器に対して前記記憶手段から前記データ及び前記情報の少なくとも一部を消去させるための消去指示データを作成し、前記外部の機器に送信する手段と、を少なくとも備えることを特徴とする注文受付端末。
【請求項４】
消去が選択された場合であって、前記データ及び前記情報の少なくとも一部が前記注文受付端末の記憶手段に記憶されている場合は、前記記憶手段から前記データ及び前記情報を消去するように制御する制御手段を備えることを特徴とする請求項３記載の注文受付端末。
【請求項５】
前記選択手段では、前記データ及び前記情報の中から記憶又は消去する前記データ又は前記情報が選択可能に表示されることを特徴とする請求項１乃至４のいずれか一に記載の注文受付端末。
【請求項６】
前記データは、静止画像データ、動画データ又は音楽データのいずれかを含むことを特徴とする請求項１乃至５のいずれか一に記載の注文受付端末。
【請求項７】
前記注文に関連する情報は、ユーザを特定する情報を含むことを特徴とする請求項１乃至６のいずれか一に記載の注文受付端末。
【請求項８】
コンピュータを、
入力されたデータ又は該データを用いた注文に関連する情報の少なくとも一部を記憶手段に記憶するか消去するかの選択に基づいて、記憶が選択された場合に、前記データ及び前記情報の少なくとも一部を前記記憶手段に記憶するように制御する制御手段、として機能させることを特徴とする制御プログラム。
【請求項９】
前記制御手段では、消去が選択された場合であって、前記データ及び前記情報の少なくとも一部が前記記憶手段に記憶されている場合は、該記憶手段から前記データ及び前記情報の少なくとも一部を消去するように制御することを特徴とする請求項８記載の制御プログラム。
【請求項１０】
コンピュータを、
入力されたデータ又は該データを用いた注文に関連する情報の少なくとも一部を通信ネットワークに接続された外部の機器の記憶手段に記憶するか消去するかの選択に基づいて、消去が選択された場合に、前記外部の機器に対して前記記憶手段から前記データ及び前記情報の少なくとも一部を消去させるための消去指示データを作成し、前記外部の機器に送信する手段、として機能させることを特徴とする制御プログラム。
【請求項１１】
消去が選択された場合であって、前記データ及び前記情報の少なくとも一部が前記注文受付端末の記憶手段に記憶されている場合は、コンピュータを、前記記憶手段から前記データ及び前記情報を消去するように制御する制御手段、として機能させることを特徴とする請求項１０記載の制御プログラム。
【請求項１２】
前記選択手段では、前記データ及び前記情報の中から記憶又は消去する前記データ又は前記情報を選択可能に表示することを特徴とする請求項８乃至１１のいずれか一に記載の制御プログラム。
【請求項１３】
前記データは、静止画像データ、動画データ又は音楽データのいずれかを含むことを特徴とする請求項８乃至１２のいずれか一に記載の制御プログラム。
【請求項１４】
前記注文に関連する情報は、ユーザを特定する情報を含むことを特徴とする請求項８乃至１３のいずれか一に記載の制御プログラム。
【発明の詳細な説明】
【技術分野】
【０００１】
本発明は、注文受付端末及び該注文受付端末を制御する制御プログラムに関する。
【背景技術】
【０００２】
近年、写真に関連する様々なサービスが提供されるようになってきている。例えば、ユーザがデジタルカメラで写真を撮影し、写真の画像ファイルを記録したデジタルカメラやデジタルカメラ用メディアをミニラボ等の写真店に持ち込むと、写真店ではデジタルカメラやメディアから画像ファイルを読み取り、画像ファイルから写真プリントを作成したり、ＣＤ−Ｒなどの記録媒体に書き込んで電子アルバムを作成するサービスなどが行われている（例えば、特許文献１等）。
【０００３】
【特許文献１】特開平５−１８２３７３号公報（第４−６頁、第３図）
【発明の開示】
【発明が解決しようとする課題】
【０００４】
上述したサービスでは、写真店やコンビニエンスストアなどの店舗内に設置された注文受付端末で、デジタルカメラやメディアから画像データを読み取って画面上に表示し、その中からユーザが選択した画像データを用いて注文受付端末内に備える印刷手段によって写真プリントが作成されたり、また、記録手段によって記録媒体に記録されるなどの処理が行われる。また、上記画像データが注文受付端末にネットワークで接続されたプリンタや記録装置などの出力装置に転送され、出力装置で写真プリントが作成され、また、記録媒体に記録されるなどの処理が行われる。
【０００５】
ここで、デジタルカメラやメディアから読み取った画像データや注文受付端末で入力した注文情報、ユーザ情報などの情報は注文処理後に消去してもよいが、同じユーザが以前に読み込んだ画像データに基づいて注文を行う場合などでは、画像データや注文情報、ユーザ情報などが注文受付端末や出力装置、通信ネットワークを介して接続されているサーバなどに記憶されていれば、記録された情報を読み込むことによって画像データを読み込む操作や注文情報、ユーザ情報を入力する操作などを大幅に簡略化することができる。そのため、従来の注文受付端末の中には、これらのデータや情報を一定期間、記憶手段に記録するものもあった。
【０００６】
しかしながら、画像データや注文情報、ユーザ情報の中にはユーザの個人的な情報も含まれており、このような個人的な情報が一時的であっても記録されたままとなっていると不正に他人に使用されたり間違って流出してしまう恐れもあり、このような個人的な情報が注文受付端末や出力装置、サーバなどに記憶されることに抵抗を感じるユーザは上記サービスの利用を敬遠してしまう。
【０００７】
本発明は、上記問題点に鑑みてなされたものであって、その主たる目的は、読み込んだデータ（画像データや音楽データなど）や入力した情報（注文情報やユーザ情報など）を記憶しておくか又は消去するかを選択することができる注文受付端末及び制御プログラムを提供することにある。
【課題を解決するための手段】
【０００８】
上記目的を達成するため、本発明の注文受付端末は、データを入力する手段と、該データを用いた注文に関連する情報を入力する手段と、前記データ及び前記情報の少なくとも一部を記憶手段に記憶するか消去するかをユーザに選択させる選択手段と、記憶が選択された場合に、前記データ及び前記情報の少なくとも一部を前記記憶手段に記憶するように制御する制御手段と、を少なくとも備えるものである。
【０００９】
本発明においては、前記制御手段では、消去が選択された場合であって、前記データ及び前記情報の少なくとも一部が前記記憶手段に記憶されている場合は、該記憶手段から前記データ及び前記情報の少なくとも一部を消去するように制御する構成とすることができる。
【００１０】
また、本発明の注文受付端末は、データを入力する手段と、該データを用いた注文に関連する情報を入力する手段と、前記データ及び前記情報の少なくとも一部を通信ネットワークを介して外部の機器に送信する手段と、前記データ及び前記情報の少なくとも一部を前記外部の機器の記憶手段に記憶するか消去するかをユーザに選択させる選択手段と、消去が選択された場合に、前記外部の機器に対して前記記憶手段から前記データ及び前記情報の少なくとも一部を消去させるための消去指示データを作成し、前記外部の機器に送信する手段と、を少なくとも備えるものである。
【００１１】
本発明においては、消去が選択された場合であって、前記データ及び前記情報の少なくとも一部が前記注文受付端末の記憶手段に記憶されている場合は、前記記憶手段から前記データ及び前記情報を消去するように制御する制御手段を備える構成とすることができる。
【００１２】
また、本発明においては、前記選択手段では、前記データ及び前記情報の中から記憶又は消去する前記データ又は前記情報を選択可能に表示する構成とすることもできる。
【００１３】
また、本発明においては、前記データは、静止画像データ、動画データ又は音楽データのいずれかを含むことが好ましく、前記注文に関連する情報は、ユーザを特定する情報を含むことが好ましい。
【００１４】
また、本発明の制御プログラムは、コンピュータを、入力されたデータ又は該データを用いた注文に関連する情報の少なくとも一部を記憶手段に記憶するか消去するかの選択に基づいて、記憶が選択された場合に、前記データ及び前記情報の少なくとも一部を前記記憶手段に記憶するように制御する制御手段、として機能させるものである。
【００１５】
また、本発明の制御プログラムは、コンピュータを、入力されたデータ又は該データを用いた注文に関連する情報の少なくとも一部を通信ネットワークに接続された外部の機器の記憶手段に記憶するか消去するかの選択に基づいて、消去が選択された場合に、前記外部の機器に対して前記記憶手段から前記データ及び前記情報の少なくとも一部を消去させるための消去指示データを作成し、前記外部の機器に送信する手段、として機能させるものである。
【００１６】
このように、本発明の注文受付端末では、デジタルカメラやメディア、記録媒体などの記録手段から読み取ったデータや注文受付端末を操作して入力した情報に基づいて各種処理を行う際に、読み取ったデータや入力した情報を記憶手段に記憶するのか、消去するのかをユーザに選択させる画面を表示する。そして、ユーザの選択に従って、記憶する場合は内部の記憶手段や通信ネットワークを介して接続される外部の機器の記憶手段に記憶し、消去する場合は内部の記憶手段から該データや情報を消去し、また、外部の機器に対して該機器の記憶手段に記憶された該データや情報を消去するように指示する消去指示データを作成して送信する。これにより、データや情報の記憶を希望するユーザ及び消去を希望するユーザの双方の要求を満足させることができる。
【発明の効果】
【００１７】
本発明の注文受付端末及び制御プログラムによれば、注文受付端末で読み取られたデータ（画像データや音楽データなど）や注文受付端末を操作して入力した情報（注文情報やユーザ情報など）を記憶するか消去するかをユーザが選択することができる。
【００１８】
その理由は、注文受付端末では、読み取ったデータや入力した情報に基づいて各種処理を行う際に、該データや情報を記憶手段に記憶するのか、消去するのかをユーザに選択させる画面を表示し、ユーザの選択に従って、記憶する場合は内部の記憶手段や通信ネットワークを介して接続されている外部の機器の記憶手段に記憶し、消去する場合は内部の記憶手段から該データや情報を消去し、また、外部の機器に対して該機器の記憶手段に記憶されている該データや情報を消去するように指示する消去指示データを作成して送信する制御が行われるからである。
【発明を実施するための最良の形態】
【００１９】
本発明の注文受付端末は、その好ましい一実施の形態において、デジタルカメラやメディア、記録媒体などの記録手段から画像データや音楽データなどのデータを入力するデータ入力手段と、注文に関する情報やユーザに関する情報の入力、読み取ったデータや入力された情報の記憶／消去の選択などを行う操作部、該データや情報の記憶／消去の選択画面を表示する表示部などの情報入出力手段と、ユーザの選択に従って、読み取ったデータや入力された情報を記憶手段に記憶又は記憶手段から消去する制御を行う記憶制御手段、又は、通信ネットワークを介して接続されている機器に対して該機器の記憶手段に記憶されている該データや情報を消去させるための消去指示データを作成し、送信する手段とを少なくとも備える。これにより、ユーザが記憶を選択した場合は内部の記憶手段や通信ネットワークを介して接続される外部の機器の記憶手段に該データや情報を記憶し、ユーザが消去を選択した場合は内部の記憶手段から該データや情報を消去し、また、消去指示データによって外部の機器の記憶手段に記憶された該データや情報を消去する制御が行われるため、記憶を希望するユーザは再度、注文受付端末を利用する際の操作性を向上させることができ、また、消去を希望するユーザはこれらのデータや情報が不正に使用されたり間違って流出する心配をすることなく注文受付端末を用いたサービスを利用することができる。
【実施例１】
【００２０】
上記実施形態について詳細に説明すべく、本発明の第１の実施例に係る注文受付端末及び制御プログラムについて、図１乃至図４を参照して説明する。図１は、本実施例に係る注文受付端末の外観構成を模式的に示す図であり、図２は、注文受付端末の機能を示すブロック図である。また、図３は、本実施例の注文受付端末を用いた注文手順を示すフローチャート図であり、図４は、注文受付端末の表示部に表示される画面構成例を示す図である。なお、本実施例におけるデータとは、画像データ（静止画像データ、動画データ、画像情報を一部に含むデータなど）、音楽データ、コンテンツ、アプリケーションなどの任意のデータを含み同様に適用することができるが、以下では画像データが入力される場合について説明する。
【００２１】
図１（ａ）に示すように、本実施例の注文受付端末１ａは、スマートメディア、コンパクトフラッシュ（登録商標）、メモリースティック、ＳＤメモリーカード、マルチメディアカードなどのデジタルカメラ用又はカメラ付き携帯電話機用の記録媒体（以下、メディア８と呼ぶ。）を装填するメディア装填部２、デジタルカメラ７やカメラ付き携帯電話機７ａ等の撮影機器（以下、デジタルカメラ７として説明する。）を有線又は無線、赤外線等によって接続するための機器接続部３、ＣＤ−Ｒ／ＲＷやＤＶＤ±Ｒ／ＲＷ、ＤＶＤ−ＲＡＭ、Ｂｌｕ−ｒａｙディスク等の記録媒体９を装填する記録媒体装填部４などのデータ入力手段と、ボタン、キーボード、マウス等の操作部６及びＬＣＤ、ＣＲＴ等の表示部５（図では操作部６と表示部５とを兼ね備えるタッチパネルを示している。）とを備え、写真店やコンビニエンスストアなどの店舗に設置されている。
【００２２】
この注文受付端末１ａの機能をブロック図で示すと図２のようになる。すなわち、メディア装填部２、機器接続部３、記録媒体装填部４等を用いて画像データなどを入力するデータ入力手段１０と、読み取った画像データの画像情報や記憶／消去の選択画面などを表示する表示部５や、記憶／消去の選択や注文情報、ユーザ情報などの入力を行う操作部６などの情報入出力手段１１と、読み取った画像データや入力された情報に基づいて写真プリントの作成やスライドショーの作成、記録媒体の作成などの注文処理を行う処理手段１２と、ユーザの指示に従って、読み取った画像データや入力された注文情報、ユーザ情報などの情報（以下、これらのデータや情報を総称して入力情報と呼ぶ。）を記憶するか消去するかの制御を行う記憶制御手段１３と、上記入力情報を記憶するＨＤＤなどの記憶手段１４ａ及びＲＡＭなどの一時記憶手段１４ｂとを備えている。なお、図１（ａ）では写真店やコンビニエンスストア等の店舗に設置可能なキオスク型の注文受付端末１ａを記載しているが、注文受付端末１ａの形態は任意であり、例えば、図１（ｂ）に示すように卓上型の注文受付端末１ａとしてもよい。また、上記各手段は注文受付端末１ａ内にハードウェアとして構成されていてもよいし、コンピュータを、少なくとも記憶制御手段１３として機能させる制御プログラムをインストールし、該制御プログラムにより上記手段を実行する構成としてもよい。
【００２３】
次に、上記構成の注文受付端末１ａを用いて、画像データに基づいた注文処理が実行されるまでの手順について、図３のフローチャート図を参照して説明する。
【００２４】
まず、ステップＳ１０１で、注文受付端末１ａのメディア装填部２にメディア８を装填、又は機器接続部３にデジタルカメラ７を接続、又は記録媒体装填部４にＣＤ−Ｒ／ＲＷやＤＶＤ±Ｒ／ＲＷ、ＤＶＤ−ＲＡＭ、Ｂｌｕ−ｒａｙディスク等の記録媒体９を装填し、メディア８やデジタルカメラ７、記録媒体９などから画像データを読み取る。
【００２５】
次に、ステップＳ１０２で、注文受付端末１ａは読み取った画像データを表示部５上に選択可能に表示し、ステップＳ１０３で、ユーザがその中から注文処理に利用する所望の画像データを選択すると、選択された画像データは必要に応じて記録制御手段１３によってＲＡＭ等の一時記憶手段１４ｂに記憶される。なお、この画像データの表示方法や選択方法は任意であり、例えば、表示部５上に画像データに基づく画像を一つずつ表示したり、全ての画像データに基づく画像を一覧表示し、タッチパネルなどの操作部６を操作することによりその中から所望の画像データを選択する構成してもよい。また、入力された画像データの全てを利用する構成としてもよく、その場合はステップＳ１０２の画像データの表示及びステップＳ１０３の画像データの選択を省略することができる。
【００２６】
次に、ステップＳ１０４で、注文受付端末１ａの表示部５に表示される指示に従って操作部６を操作して注文の詳細な条件、例えば、写真プリントの場合はプリントサイズやプリント枚数、挨拶状や名刺の場合は文字の入力、写真と文字のレイアウト、シールの場合はフレームの選択、スライドショーの作成の場合はスライド効果の設定や音楽データの選択、記録媒体の作成の場合はメッセージやタイトルの入力等の注文情報の入力を行う。また、必要に応じてユーザの氏名や住所、電話番号などのユーザ情報の入力も行う。この入力された注文情報やユーザ情報も必要に応じて記録制御手段１３によってＲＡＭ等の一時記憶手段１４ｂに記憶される。
【００２７】
次に、ステップＳ１０５で、入力された画像データや注文情報に従って、処理手段１２により写真プリントや挨拶状、名刺、シールの印刷、静止画像データを基にした動画データの作成、パソコンやＤＶＤプレーヤ、ＤＶＤレコーダ、ゲーム機などの画像再生機器で再生可能な記録媒体の作成などの画像データを利用した各種注文処理を行う。
【００２８】
ここで、従来の注文受付端末１ａでは、注文処理終了後、読み取った画像データや入力された注文情報、ユーザ情報などの入力情報は、注文受付端末１ａの設定に従って自動的に記憶手段１４ａに記憶されるか、若しくは自動的に消去されるかのいずれかであった。しかしながら、入力情報を記憶しておけば次回以降の注文操作を簡略化することができるというメリットがあり、一方、入力情報を消去すれば、個人的な情報が不正に他人に利用されたり間違って流出する恐れが無く安心して注文受付端末１ａで注文ができるというメリットがあり、ユーザによってどちらの形態を望むかは異なるため、注文受付端末１ａ側で一方的に記憶又は消去を設定する構成では様々なユーザの要望に応えることができなかった。
【００２９】
そこで、本実施例の注文受付端末１ａでは、ユーザの要望に従って処理することができるように、ステップＳ１０６で、入力情報の記憶／消去を選択するための選択画面を表示する。この選択画面の構成は任意であるが、例えば、図４に示すような構成とすることができ、選択画面５ａ上に表示されるボタン（記憶ボタンや消去ボタン）をクリックすることにより入力情報の記憶又は消去を指定することができる。なお、入力情報の記憶／消去をユーザに選択させる方法は選択画面５ａを表示させる方法に限らず、予め操作部６に入力情報の記憶又は消去を選択できるボタンなどを設けておいてもよい。
【００３０】
そして、ステップＳ１０７で消去が選択された場合は、ステップＳ１０８で、記憶制御手段１３は、読み取った画像データや入力された注文情報、ユーザ情報などの入力情報を一時記憶手段１４ｂから消去、又は、入力情報が記憶手段１４ａに既に記憶されている場合は記憶手段１４ａから消去するように制御する。また、ステップＳ１０７で記憶が選択された場合は、ステップＳ１０９で、記憶制御手段１３は、一時記憶手段１４ｂに記憶された入力情報を記憶手段１４に記憶するように制御して一連の処理を終了する。
【００３１】
なお、入力情報はその全てを一括して記憶又は消去してもよいが、入力情報の一部（例えば、再度注文する可能性のある画像データとユーザの氏名などのみ）を記憶し、残りを消去するようにしてもよい。その場合は、選択画面５ａに一部消去のボタンを設けておき、このボタンが選択されたら読み取った画像データや注文情報、ユーザ情報などの入力情報の一覧を選択可能に表示し、その中からユーザが選択した入力情報のみを記憶又は消去するように制御すればよい。
【００３２】
また、図３のフローでは、ステップＳ１０５で画像データを用いた注文処理を行った後、ステップＳ１０６で選択画面５ａを表示する構成としたが、この選択画面５ａは任意のステップで表示することができ、例えば、初期画面や、ステップＳ１０１で画像データの読み込んだ後、ステップＳ１０４で注文情報やユーザ情報を入力した後などに選択画面５ａを表示してユーザに記憶又は消去を選択させておき、処理終了後に、その選択に従って入力情報を記憶又は消去する制御を行う構成とすることもできる。
【００３３】
このように、本実施例の注文受付端末１ａ及び制御プログラムでは、読み取った画像データや入力した注文情報、ユーザ情報などの入力情報に基づいて各種注文処理を行う際に、入力情報を記憶手段１４ａに記憶するのか、消去するのかをユーザに選択させる選択画面５ａを表示し、ユーザの選択に従って、記憶する場合は一時記憶手段１４ｂに記憶された入力情報を記憶手段１４ａに記憶し、消去する場合は一時記憶手段１４ｂや記憶手段１４ａに記憶された入力情報を消去するように制御されるため、入力情報の記憶を希望するユーザ及び消去を希望するユーザの双方の要求を満足させることができ、これにより注文受付端末１ａを用いたサービスの利用促進を図ることができる。
【実施例２】
【００３４】
次に、本発明の第２の実施例に係る注文受付端末及び制御プログラムについて、図５乃至図７を参照して説明する。図５は、第２の実施例に係る注文システムの外観構成を模式的に示す図であり、図６は、注文受付端末の機能を示すブロック図である。また、図７は、本実施例の注文受付端末を用いた注文手順を示すフローチャート図である。なお、本実施例は注文受付端末１ａで注文の受付のみを行い、注文処理や入力情報の記憶を通信ネットワークで接続された出力装置やサーバなどで行うことを特徴とするものである。
【００３５】
具体的には、図５に示すように、本実施例の注文システム１は、写真店などの店頭に設置され、ユーザや店員などが注文操作を行う注文受付端末１ａと、店舗内またはミニラボ、生産店などに設置され、画像データを用いた写真プリントの作成やスライドショーの作成、記録媒体の作成などを行うプリンタや記録装置などの出力装置１ｂと、画像データや注文情報、ユーザ情報などの入力情報を記憶するサーバ１５とで構成され、これらはインターネットやＬＡＮやＷＡＮ、ＶＡＮなどの通信ネットワーク１６を介して接続されている。なお、以下では、出力装置１ｂで注文処理を行い、サーバ１５で入力情報を記憶する場合について説明するが、出力装置１ｂで注文処理と入力情報の記憶の双方を行う構成としてもよい。
【００３６】
この注文受付端末１ａの機能をブロック図で示すと図６のようになる。すなわち、第１の実施例と同様に、メディア装填部２、機器接続部３、記録媒体装填部４、注文受付端末１ａを通信ネットワーク１６に接続するためのネットワーク接続部等を用いて画像データなどを入力するデータ入力手段１０、読み取った画像データの画像情報や記憶／消去の選択画面などを表示する表示部５、記憶／消去の選択や注文情報、ユーザ情報などの情報の入力を行う操作部６などの情報入出力手段１１、ユーザの指示に従って、読み取った画像データや入力された注文情報、ユーザ情報などの入力情報を記憶するか消去するかの制御を行う記憶制御手段１３、入力情報を一時的に記憶する一時記憶手段１４ｂに加え、消去が選択された場合に出力装置１ｂやサーバ１５等の外部の機器に対して該機器の記憶手段に記憶された入力情報を消去させるための消去指示データを作成する消去指示データ作成手段１７と、入力情報や消去指示データを出力装置１ｂやサーバ１５に送信するデータ送信手段１８とを備えている。なお、上記各手段は注文受付端末１ａ内にハードウェアとして構成されていてもよいし、コンピュータを、少なくとも消去指示データ作成手段１７、データ送信手段１８として機能させる制御プログラムをインストールし、該制御プログラムにより上記手段を実行する構成としてもよい。
【００３７】
次に、上記構成の注文受付端末１ａを用いて、画像データに基づいた注文処理が実行されるまでの手順について、図７のフローチャート図を参照して説明する。
【００３８】
まず、第１の実施例と同様に、ステップＳ２０１で、注文受付端末１ａのメディア装填部２にメディア８を装填、又は機器接続部３にデジタルカメラ７を接続、又は記録媒体装填部４にＣＤ−Ｒ／ＲＷやＤＶＤ±Ｒ／ＲＷ、ＤＶＤ−ＲＡＭ、Ｂｌｕ−ｒａｙディスク等の記録媒体９を装填、又はネットワーク接続部を通信ネットワーク１６に接続し、メディア８やデジタルカメラ７、記録媒体９などから画像データを読み取り、また、通信ネットワーク１６に接続されたサーバ（サーバ１５と同じであっても異なってもよい。）から画像データをダウンロードする。
【００３９】
次に、ステップＳ２０２で、注文受付端末１ａは読み取った画像データを表示部５上に選択可能に表示し、ステップＳ２０３で、ユーザがその中から注文処理に利用する所望の画像データを選択すると、選択された画像データは必要に応じて記録制御手段１３によってＲＡＭ等の一時記憶手段１４ｂに記憶される。なお、画像データの表示方法や選択方法は任意であり、入力された画像データの全てを利用する構成としてもよい。
【００４０】
次に、ステップＳ２０４で、注文受付端末１ａの表示部５に表示される指示に従って操作部６を操作して注文情報の入力を行い、必要に応じてユーザの氏名や住所、電話番号などのユーザ情報の入力も行う。この入力された注文情報やユーザ情報も必要に応じて記録制御手段１３によってＲＡＭ等の一時記憶手段１４ｂに記憶される。
【００４１】
次に、ステップＳ２０５で、データ送信手段１８は、一時記憶手段１４ｂに記憶された画像データや注文情報、ユーザ情報などの入力情報を通信ネットワーク１６を介して出力装置１ｂやサーバ１５などの外部の機器に送信し、出力装置１ｂやサーバ１５は、ステップＳ２０６で送信された入力情報を該機器内部の記憶手段に記憶する。
【００４２】
次に、ステップＳ２０７で、出力装置１ｂは、注文受付端末１ａから送信された入力情報（入力情報がサーバ１５に記憶される場合はサーバ１５から送信された入力情報）に従って、写真プリントや挨拶状、名刺、シールの印刷、静止画像データを基にした動画データの作成、パソコンやＤＶＤプレーヤ、ＤＶＤレコーダ、ゲーム機などの画像再生機器で再生可能な記録媒体の作成などの画像データを利用した各種注文処理を行う。
【００４３】
次に、ステップＳ２０８で、第１の実施例と同様に、図４に示すような入力情報の記憶／消去を選択するための選択画面５ａを表示する。そして、ステップＳ２０９で消去が選択された場合は、ステップＳ２１０で、消去指示データ作成手段１７を用いて、出力装置１ｂやサーバ１５に対して該機器内部の記憶手段に記憶された入力情報を消去させるための消去指示データを作成し、ステップＳ２１１で、該消去指示データを通信ネットワーク１６を介して出力装置１ｂやサーバ１５に送信する。この消去指示データを受信した出力装置１ｂやサーバ１５は、ステップＳ２１２で該機器内部の記憶手段に記憶された入力情報を消去する。また、記憶制御手段１３は、一時記憶手段１４ｂに記憶された入力情報を消去するように制御して一連の処理を終了する。
【００４４】
なお、第１の実施例と同様に、入力情報はその全てを一括して記憶又は消去してもよいし、入力情報の一部を記憶し、残りを消去するようにしてもよい。また、図７のフローでは、ステップＳ２０７で注文処理を行った後、ステップＳ２０８で選択画面５ａを表示する構成としたが、この選択画面５ａは任意のステップで表示することができ、例えば、初期画面や、ステップＳ２０１で画像データの読み込んだ後、ステップＳ２０４で注文情報やユーザ情報を入力した後、ステップＳ２０５で入力情報を送信した後などに選択画面５ａを表示してユーザに記憶又は消去を選択させ、消去が選択された場合は消去指示データを送信しておき、注文処理終了後に入力情報を消去するように出力装置１ｂやサーバ１５を制御する構成とすることもできる。
【００４５】
このように、本実施例の注文受付端末１ａ及び制御プログラムでは、読み取った画像データや入力した注文情報、ユーザ情報に基づいて各種処理を行う際に、入力情報を出力装置１ｂやサーバ１５などの外部の機器の記憶手段に記憶するのか、消去するのかをユーザに選択させる選択画面５ａを表示し、消去する場合は出力装置１ｂやサーバ１５に対して該機器の記憶手段に記憶された入力情報を消去させるための消去指示データを送信し、出力装置１ｂやサーバ１５では消去指示データに従って入力情報を消去するため、入力情報の記憶を希望するユーザ及び消去を希望するユーザの双方の要求を満足させることができ、これにより注文受付端末１ａを用いたサービスの利用促進を図ることができる。
【図面の簡単な説明】
【００４６】
【図１（ａ）】本発明の第１の実施例に係る注文受付端末の構成を模式的に示す図である。
【図１（ｂ）】本発明の第１の実施例に係る注文受付端末の他の構成を模式的に示す図である。
【図２】本発明の第１の実施例に係る注文受付端末の機能を示すブロック図である。
【図３】本発明の第１の実施例に係る注文受付端末を用いた注文手順を示すフローチャート図である。
【図４】本発明の第１の実施例に係る注文受付端末の表示部に表示される画面構成例を示す図である。
【図５】本発明の第２の実施例に係る注文システムの構成を模式的に示す図である。
【図６】本発明の第２の実施例に係る注文受付端末の機能を示すブロック図である。
【図７】本発明の第２の実施例に係る注文受付端末を用いた注文手順を示すフローチャート図である。
【符号の説明】
【００４７】
１ａ  注文受付端末
１ｂ  出力装置
２  メディア装填部
３  機器接続部
４  記録媒体装填部
５  表示部
６  操作部
７  デジタルカメラ
７ａ  カメラ付き携帯電話機
８  メディア
９  記録媒体
１０  データ入力手段
１１  情報入出力手段
１２  処理手段
１３  記憶制御手段
１４ａ  記憶手段
１４ｂ  一時記憶手段
１５  サーバ
１６  通信ネットワーク
１７  消去指示データ作成手段
１８  データ送信手段
【図１（ａ）】
2005204201.tif 000003
【図１（ｂ）】
2005204201.tif 000004
【図２】
2005204201.tif 000005
【図３】
2005204201.tif 000006
【図４】
2005204201.tif 000007
【図５】
2005204201.tif 000008
【図６】
2005204201.tif 000009
【図７】
2005204201.tif 000010